(57)【要約】【課題】送風装置において、小型で、構成が簡単で、給気及び排気に切換えできると共に、信頼性の高いものとすること。【解決手段】送風装置２０は、送風機部５０と、室外空気を室内へ給気する風路と室内空気を室外へ排出する風路とに切換える風路切換装置４０とを備える。送風機部５０は、空気を軸方向より吸込んで円周方向に吹出す遠心形の送風機３３と、送風機３３の吸込口より大きく形成した吸込室３１と、送風機３３の吹出側に形成した吹出室３２とを備える。風路切換装置４０は、複数の開口を有する外殻４６と、外殻４６内に回動可能に配置すると共に内部を複数の風路に区分する隔壁を有する風路切換体４１と、風路切換体４１の複数の風路と外殻４６の複数の開口との連通を切換えるように風路切換体４１を回動する駆動装置４７とを備える。そして、風路切換装置４７は送風機部５０の吸込室３１に重なるように並置されている。【選択図】図７
2006090625.tif 000002
【特許請求の範囲】
【請求項１】
空気を送風する送風機部と、室外空気を室内へ給気する風路と室内空気を室外へ排出する風路とに切換える風路切換装置と、を備える送風装置において、
前記送風機部は、空気を軸方向より吸込んで円周方向に吹出す遠心形の送風機と、前記送風機の吸込口に連通してその吸込口より大きく形成した吸込室と、前記送風機の吹出側に形成した吹出室とを備え、
前記風路切換装置は、複数の開口を有する外殻と、前記外殻内に回動可能に配置すると共に内部を複数の風路に区分する隔壁を有する風路切換体と、前記風路切換体の複数の風路と前記外殻の複数の開口との連通を切換えるように前記風路切換体を回動する駆動装置とを備え、
前記風路切換装置は前記送風機部の前記吸込室に重なるように並置したものである
ことを特徴とする送風装置。
【請求項２】
前記送風機の回転軸と前記風路切換体の回動軸とを略平行に設けると共に、前記風路切換体の中央部に凹部を設け、前記駆動装置の１部又は全部を前記凹部で囲繞したことを特徴とする請求項１記載の送風装置。
【請求項３】
円筒形に形成した前記風路切換体の外周面と円板面に少なくとも８つ以上の開口を設け、前記外殻に少なくとも６つ以上の開口を設け、前記風路切換体の複数の回動位置で前記風路切換体の少なくとも２つ風路が前記外殻の開口を通して前記風路切換体の外部に連通することを特徴とする請求項１記載の送風装置。
【請求項４】
前記風路切換装置と前記送風機の吸込口に挟設された前記吸込室を備え、前記吸込室を形成する壁と前記外殻を形成する壁の一部共用することを特徴とする請求項１記載の送風装置。
【請求項５】
前記送風装置に吸込吹出兼用開口、吸込専用開口及び吹出専用開口を設け、前記吸込吹出兼用開口から吸込み前記吹出専用開口から吹出す送風状態の給気送風時に前記吸込吹出兼用開口に連通する前記風路切換装置の風路と前記吸込室との間を繋ぐ吸気通路に吸気フィルターを設けると共に、給気送風時に前記吸気フィルターを介して前記吸込専用開口から吸込み前記吸込吹出兼用開口から吹出す送風状態の排気送風時に前記吸気フィルターを介さずに送風することを特徴とする請求項１記載の送風装置。
【請求項６】
前記吹出室と前記吸気フィルターと吸気フィルター着脱開口及び前記吸込吹出兼用開口とを前記送風機の軸方向から見てその大半が重ならないように設置することを特徴とする請求項５記載の送風装置。
【請求項７】
給気送風時に前記吸気フィルターの上流側となる風路にプレフィルターを設け、給気送風時に前記プレフィルター及び前記吸気フィルターを介し、排気送風時に前記吸気フィルターを介さずに前記プレフィルターを介して送風することを特徴とする請求項５記載の送風装置。
【請求項８】
室内機の筐体内の左右一側に熱交換器及び主送風機を配置し、前記筐体内の左右他側に換気機能を有する送風装置を配置してなる空気調和機において、
送風装置は、空気を送風する送風機部と、室外空気を室内へ給気する風路と室内空気を室外へ排出する風路とに切換える風路切換装置とを備え、
前記送風機部は、空気を軸方向より吸込んで円周方向に吹出す遠心形の送風機と、前記送風機の吸込口に連通してその吸込口より大きく形成した吸込室と、前記送風機の吹出側に形成した吹出室とを備え、
前記風路切換装置は、複数の開口を有する外殻と、前記外殻内に回動可能に配置すると共に内部を複数の風路に区分する隔壁を有する風路切換体と、前記風路切換体の複数の風路と前記外殻の複数の開口との連通を切換えるように前記風路切換体を回動する駆動装置とを備え、
前記風路切換装置は前記送風機部の前記吸込室に重なるように並置したものである
ことを特徴とする空気調和機。
【請求項９】
前記送風装置に室外ダクトの接続部を設けると共に、前記熱交換器から引出される冷媒接続配管引出部と前記筐体の側面との間に前記送風装置を収納したことを特徴とする請求項８記載の空気調和機。
【請求項１０】
前記送風装置の吸込専用開口と吹出専用開口と吸気フィルター着脱開口とを前記室内機内の前部に配置し、前記送風装置の吸込吹出兼用開口を前記室内機内の後部に配置し、前記送風装置の吸込専用開口を前記室内機内の上部に配置し、前記送風装置の吹出専用開口と吸気フィルター着脱開口と吸込吹出兼用開口とを前記吸込専用開口の下方に配置したことを特徴とする請求項８記載の空気調和機。
【請求項１１】
前記吹出専用開口を前記室内機の主吸込口と主吹出口との中間に位置せしめると共に、前記送風装置の下方に前記室内機の制御部と室外機との接続配線の引出部とを設けたことを特徴とする請求項１０記載の空気調和機。
【発明の詳細な説明】
【技術分野】
【０００１】
本発明は、送風装置及びそれを用いた空気調和機に係り、特にセパレート型空気調和機の室内機に組込んで使用する換気用の送風装置及びそれを用いた室内機を備えるセパレート型空気調和機に好適なものである。
【背景技術】
【０００２】
近年、家屋の住空間の密閉度が増し、建材に含まれている有害な物質による人体への影響が指摘されている。また、密閉度が高いために、住空間における二酸化炭素濃度が上昇するという問題もあった。これらの問題を室内の空気を調和する空気調和機として解決することが課題となっている。この課題を解決するため換気機能の付いた空気調和機が提案されている。
【０００３】
この種の空気調和機としては、特開平１１−２９４７９１号公報（特許文献１）、特開２０００−２７４７２７号公報（特許文献２）、特開２００４−６９１０８号公報（特許文献３）、特開２００４−７７０８４号公報（特許文献４）に記載されたものがある。
【０００４】
特許文献１の第一実施形態には、排気換気機能に加えて、回転ダンパーの切換により、加湿又は除湿機能を選択できる加湿、換気、除湿ユニットを併設した壁掛のセパレート形空気調和機が開示されている。
【０００５】
また、特許文献２には、一つの換気用風路の中に正回転、逆回転の切換え可能なファンを組込んで、ファンの回転方向を切換えることにより、室外空気を室内に取込む給気機能と、室内空気を室外に排気する排気機能とを有する換気用送風機を備えたセパレート形空気調和機が開示されている。
【０００６】
また、特許文献３には、室内空気を室外に排気する排気機能を有し、更に、排気運転時の吸気通路を円形ダンパーを回動することにより通常排気機能と、熱交換器の乾燥排気機能とに切換えることができる換気ユニット付のセパレート形空気調和機が開示されている。
【０００７】
また、特許文献４には、空気調和機の室外機に給排気ユニットを備え、室外空気を室内に取込む給気機能と、室内空気を室外に排気する排気機能とを有し、給排気通路を給排気切換部材を回動することにより切換えることができる加湿給排気ユニット付のセパレート形空気調和機が開示されている。
【０００８】
【特許文献１】特開平１１−２９４７９１号公報
【特許文献２】特開２０００−２７４７２７号公報
【特許文献３】特開２００４−６９１０８号公報
【特許文献４】特開２００４−７７０８４号公報
【発明の開示】
【発明が解決しようとする課題】
【０００９】
上記特許文献１の第一実施形態に記載された加湿、換気、除湿ユニットは、緩やかに回転する全熱交換器を上下に区分して加湿部と除湿部を設け、これらに送風機（換気用、給排気用のファンを送風機と呼び、空気調和機室内機の熱交換器に通風させるファンを主送風機と呼ぶ。）で室内空気を送風し、加湿部又は除湿部を通過した後に、片方を室内に戻し、他方を室外に排気して、排気換気に加えて加湿又は除湿の機能を実現している。
【００１０】
加湿又は除湿の切換は、全熱交換器の下流側に設けた回転ダンパーによって行ない、回転ダンパーを加湿の位置に置くと、全熱交換器の加湿部と室内への吹出口とが連通し、同時に、全熱交換器の除湿部と室外への吹出口とが連通することにより、加湿空気が室内に戻され、除湿空気が室外に排気される。回転ダンパーを除湿の位置に置くと、全熱交換器の加湿部と室外への吹出口とが連通し、同時に、全熱交換器の除湿部と室内への吹出口とが連通することにより、除湿空気が室内に戻され、加湿空気が室外に排気される。
【００１１】
一般に、給気運転を行なうと屋外の空気が室内に導入されるが、屋外の空気が様々な物質によって汚染されている場合、室内の生活者にとって導入される給気が不快なものとなる。この不具合を解消するためには、室内に導入する外気をフィルターで清浄化すると良い。上記特許文献１の第一実施形態の空気調和機は、換気の機能としては排気の機能だけであり、風路を加湿か除湿かで２通りに選ぶのみで、給気については何ら考慮されておらず、換気装置としての２大機能である給気、排気のうちの半分の機能しか備えていない。
【００１２】
また、特許文献１の第一実施形態の空気調和機では、換気空気の吸込口を側面に設けているので、据付けの時に吸込み空気の通り道を見込まなければならず、据付け必要寸法が大きくなり、据付けの自由度が失われる。また、外気への排気口が機体の上部に設けられているので、壁掛け形の空気調和機で一般的である機体の下部から引出される冷媒配管、ドレン配管とは別の壁孔が必要となり、据付け作業が煩雑になる。また、加湿、換気、除湿ユニットが空気調和機の室内機の側面に大きく張り出していて、空気調和機全体の幅寸法が大きくなる。
【００１３】
また、特許文献１の第一実施形態の空気調和機では、換気運転停止時に室内と室外を遮断する機構が無く、室外で強風が吹いた時などには、それが室内に流入してくる恐れもある。
【００１４】
上記特許文献２の空気調和機における換気用送風機は、送風機の回転方向を正回転から逆回転にして送風方向を切換えることで排気運転と給気運転を行っている。
【００１５】
給気運転を行なうと屋外の空気が室内に導入されるが、屋外の空気が様々な物質によって汚染されている場合、室内の生活者にとって導入される給気が不快なものとなる。この不具合を解消するためには、室内に導入する外気をフィルターで清浄化すると良い。上記特許文献２の空気調和機は、送風機の正回転時も逆回転時も、ダクト内に設けた空気清浄用のフィルターに空気が通風するようにしている。
【００１６】
しかし、この特許文献２の空気調和機ように、空気清浄用フィルターの通風面を送風機の駆動軸と平行に配置し、この空気清浄フィルターに換気量に見合った性能を持たせようとすると、空気清浄フィルターの面積を確保するため、換気用ダクトの幅が大きくなり、その分熱交換器を小さくしなければならず、本来の空気調和機としての基本的目的である温湿度調和能力が低下してしまう。熱交換器の大きさを変えない場合は、室内機形状が大きくなってしまうという不具合がある。
【００１７】
また、室内の空気を室外へ排気する排気運転の場合も、室外へ排気する空気を空気清浄フィルターに通すため、排気時の通風抵抗が増し、排気する空気の量が減ってしまい改良が望まれている。
また、室外空気を室内に取込む給気運転の場合、排気運転時に空気清浄フィルターに捕集された室内空気中の種々のゴミが、送風方向が逆転するため空気清浄フィルターから離れて給気に乗って室内に吹出し、非常に具合が悪い。
【００１８】
また、特許文献２の空気調和機では、換気送風機が渦流ファンのために騒音が大きく、これを押さえるために送風機の径を大きくすると全体の寸法が大きくなり、室内機の断面を目一杯使用することになる。このため室内機に使用される電気品の制御部等の必須部品を換気送風機の下部や上部などに収納するスペースを設けることができず、室内機も大きくせざるを得なくなっている。
【００１９】
また、特許文献２の空気調和機では、換気運転停止時に室内と室外を遮断するための逆風防止用弁をその駆動装置と共に設けており、ダンパー類を使用せずに送風機の逆転運転で換気用送風機を構成して簡略化を図っているが、逆風防止用弁及びその駆動装置を使用することで構成の簡略化と部品点数の減少の効果は限定的になっている。
【００２０】
また、特許文献２の空気調和機では、室内吸込口が調和空気の吹出口の近くであるため、熱交換器で調和した空気を吸込んで室外に排気することになり、電力が無駄に使われてしまい非効率である。
【００２１】
また、特許文献２の空気調和機では、逆風防止用弁を設けており、そのシール力を左右するシール部材の反発力が逆風防止用弁駆動用モーターの回転方向と逆の方向になるため、シール部材の反発力で逆風防止用弁駆動用モーターが逆転し、シール力が不足して空気の洩れ量が多くなる恐れが有る。これを防ぐためには、逆風防止用弁駆動用モーターを励磁して、シール部材を押し付け続ければ良い。しかし上記のようにすると常に励磁電流が必要となり、消費電力が多くなる。これを避けるため逆風防止用弁駆動用モーターの減速比を大きくしてシール部材の反発力を駆動機構の摩擦力で押え込む方法もあるがギア機構等が必要になり装置が複雑になる。
【００２２】
また、室内機据付の大半は冷媒配管引出部側に壁孔を設けて、冷媒配管、換気ダクト配管を同じ壁孔から引出す据付方式で占められているのに対し、特許文献２の空気調和機では、熱交換器を挟んで換気用送風機が冷媒配管引出部と反対側に設けられているため、据付時の配管作業が複雑になり作業性が良くない。
【００２３】
特許文献３の空気調和機では、排気の風路を２通りに選ぶのみで、給気については何ら考慮されておらず、換気装置としての２大機能である給気、排気のうちの半分の機能しか備えていない。またギアを多用した構造で部品点数が多く、組立て、調整の工数が必然的にかかり、原価高となる構造である。
【００２４】
また、室内機据付の大半は冷媒配管引出部側に壁孔を設けて、冷媒配管、換気ダクト配管を同じ壁孔から引出す据付方式で占められているのに対し、特許文献３の空気調和機では、熱交換器を挟んで換気用送風機が冷媒配管引出部と反対側に設けられているため、据付時の配管作業が複雑になり、作業性が良くない。また、特許文献３の空気調和機では、主送風機の位置を熱交換器の幅方向に換気ユニットの幅分ずらして設置し、そのずらした幅の中に換気ユニットを設けており、主送風機の風路がずれた分だけ主送風機の効率を悪くしている。
【００２５】
また、特許文献３の空気調和機では、換気ユニットを、略逆Ｖ字状に形成された熱交換器の下側にその一部が囲まれるように且つ換気ユニットの吹出口を斜め下方向に向けて設置しているため、その下部にも上部にも纏まったスペースが無い。このため室内機に使用される電気品の制御部等の必須部品を換気送風機の下部や上部などに収納するスペースを設けることができず、室内機も大きくせざるを得なくなっている。
【００２６】
特許文献４の空気調和機では、給排気ユニットの風路切換え機構に付いて開示しているが、室内機に比べて寸法的制約の少ない室外機に設置したもので、その設置位置、寸法など室内機に設置する場合の課題についての言及はない。
【００２７】
また、特許文献４の空気調和機では、給気、排気での風路の切換を開示しているが、給気の時に屋外から取込む外気中の様々な汚染物質を除去するフィルターに付いてはなんの言及も無く、室内の生活者にとって導入される給気が不快なものとなる課題に対する言及は無い。なお、特許文献４の記載の中に「フィルター」の記述はあるが、この「フィルター」は減音用のフィルターであり、給気を清浄化するものでは無い。
【００２８】
また、特許文献４の空気調和機では、風路の切換え機構がギアを多用した構造で部品点数が多く、組立て、調整の工数が必然的にかかり、原価高となる構造である。また、特許文献４の空気調和機では、風路が１つのみであり、単純に給排気の方向のみを切換えできる構造であり、これより多機能な換気への展開は示されていない。
【００２９】
本発明の第１の目的は、小型で、構成が簡単で、給気及び排気に切換えできると共に、信頼性の高い送風装置を提供することにある。
【００３０】
本発明の第２の目的は、第１の目的に加えて、更に薄形の送風装置を提供することにある。
【００３１】
本発明の第３の目的は、第１の目的に加えて、風路抵抗の小さい風路切換装置を実現し、限られたスペースでも効率良い風路切換えが可能な送風装置を提供することにある。
【００３２】
本発明の第４の目的は、第１の目的に加えて、換気用の送風装置を有するセパレート型空気調和機の室内機に好適な、軸方向寸法の小さく、風路を切換えても安定した送風機性能を発揮できる送風装置を提供することにある。
【００３３】
本発明の第５の目的は、第１の目的に加えて、給気時に流入空気を清浄にすることができ、かつ、排気運転時の通風抵抗を低減した送風装置を提供することにある。
【００３４】
本発明の第６の目的は、第５の目的に加えて、送風装置の機能部をコンパクトに纏めた薄型の送風装置を提供することにある。
【００３５】
本発明の第７の目的は、第５の目的に加えて、給気機能、排気機能を有する空気調和機に好適な、フィルターのメンテナンス性を向上させた送風装置を提供することにある。
【００３６】
本発明の第８の目的は、小型で、構成が簡単で、給気及び排気に切換えできると共に、信頼性の高い空気調和機を提供することにある。
本発明の第９の目的は、第８の目的に加えて、壁面直出し配管、側面引出し配管に好適な、換気機能を有する壁掛けセパレート型空気調和機を提供することにある。
【００３７】
本発明の第１０の目的は、第８の目的に加えて、操作性、据付性に優れた換気機能を有する壁掛けセパレート型の空気調和機を提供することにある。
【００３８】
本発明の第１１の目的は、第１０の目的に加えて、室内機内の配線の引回しが簡単で、制御部の点検が容易な空気調和機を提供することにある。
【課題を解決するための手段】
【００３９】
上記第１の目的を達成するために、本発明の第１の態様は、空気を送風する送風機部と、室外空気を室内へ給気する風路と室内空気を室外へ排出する風路とに切換える風路切換装置と、を備える送風装置において、前記送風機部は、空気を軸方向より吸込んで円周方向に吹出す遠心形の送風機と、前記送風機の吸込口に連通してその吸込口より大きく形成した吸込室と、前記送風機の吹出側に形成した吹出室とを備え、前記風路切換装置は、複数の開口を有する外殻と、前記外殻内に回動可能に配置すると共に内部を複数の風路に区分する隔壁を有する風路切換体と、前記風路切換体の複数の風路と前記外殻の複数の開口との連通を切換えるように前記風路切換体を回動する駆動装置とを備え、前記風路切換装置は前記送風機部の前記吸込室に重なるように並置したものである。
【００４０】
上記第２の目的を達成するための本発明の具体的な構成例１は、上記本発明の第１の態様に加えて、前記送風機の回転軸と前記風路切換体の回動軸とを略平行に設けると共に、前記風路切換体の中央部に凹部を設け、前記駆動装置の１部又は全部を前記凹部で囲繞した構成としたことである。
【００４１】
上記第３の目的を達成するための本発明の具体的な構成例２は、上記本発明の第１の態様に加えて、円筒形に形成した前記風路切換体の外周面と円板面に少なくとも８つ以上の開口を設け、前記外殻に少なくとも６つ以上の開口を設け、前記風路切換体の複数の回動位置で前記風路切換体の少なくとも２つ風路が前記外殻の開口を通して前記風路切換体の外部に連通する構成としたことである。
【００４２】
上記第４の目的を達成するための本発明の具体的な構成例３は、上記本発明の第１の態様に加えて、前記風路切換装置と前記送風機の吸込口に挟設された前記吸込室を備え、前記吸込室を形成する壁と前記外殻を形成する壁の一部共用する構成としたことである。
【００４３】
上記第５の目的を達成するための本発明の具体的な構成例４は、上記本発明の第１の態様に加えて、前記送風装置に吸込吹出兼用開口、吸込専用開口及び吹出専用開口を設け、前記吸込吹出兼用開口から吸込み前記吹出専用開口から吹出す送風状態の給気送風時に前記吸込吹出兼用開口に連通する前記風路切換装置の風路と前記吸込室との間を繋ぐ吸気通路に吸気フィルターを設けると共に、給気送風時に前記吸気フィルターを介して前記吸込専用開口から吸込み前記吸込吹出兼用開口から吹出す送風状態の排気送風時に前記吸気フィルターを介さずに送風する構成としたことである。
【００４４】
上記第６の目的を達成するための本発明の具体的な構成例５は、上記構成例４の構成に加えて、前記吹出室と前記吸気フィルターと吸気フィルター着脱開口及び前記吸込吹出兼用開口とを前記送風機の軸方向から見てその大半が重ならないように設置する構成としたことである。
【００４５】
上記第７の目的を達成するための本発明の具体的な構成例６は、上記構成例５の構成に加えて、給気送風時に前記吸気フィルターの上流側となる風路にプレフィルターを設け、給気送風時に前記プレフィルター及び前記吸気フィルターを介し、排気送風時に前記吸気フィルターを介さずに前記プレフィルターを介して送風する構成としたことである。
【００４６】
上記第８の目的を達成するために、本発明の第２の態様は、室内機の筐体内の左右一側に熱交換器及び主送風機を配置し、前記筐体内の左右他側に換気機能を有する送風装置を配置してなる空気調和機において、送風装置は、空気を送風する送風機部と、室外空気を室内へ給気する風路と室内空気を室外へ排出する風路とに切換える風路切換装置とを備え、前記送風機部は、空気を軸方向より吸込んで円周方向に吹出す遠心形の送風機と、前記送風機の吸込口に連通してその吸込口より大きく形成した吸込室と、前記送風機の吹出側に形成した吹出室とを備え、前記風路切換装置は、複数の開口を有する外殻と、前記外殻内に回動可能に配置すると共に内部を複数の風路に区分する隔壁を有する風路切換体と、前記風路切換体の複数の風路と前記外殻の複数の開口との連通を切換えるように前記風路切換体を回動する駆動装置とを備え、前記風路切換装置は前記送風機部の前記吸込室に重なるように並置したものである。
上記第９の目的を達成するための本発明の具体的な構成例７は、上記本発明の第２の態様に加えて、前記送風装置に室外ダクトの接続部を設けると共に、前記熱交換器から引出される冷媒接続配管引出部と前記筐体の側面との間に前記送風装置を収納した構成としたことである。
【００４７】
上記第１０の目的を達成するための本発明の具体的な構成例８は、上記本発明の第２の態様に加えて、前記送風装置の吸込専用開口と吹出専用開口と吸気フィルター着脱開口とを前記室内機内の前部に配置し、前記送風装置の吸込吹出兼用開口を前記室内機内の後部に配置し、前記送風装置の吸込専用開口を前記室内機内の上部に配置し、前記送風装置の吹出専用開口と吸気フィルター着脱開口と吸込吹出兼用開口とを前記吸込専用開口の下方に配置した構成としたことである。
【００４８】
上記第１１の目的を達成するための本発明の具体的な構成例９は、上記構成例８の構成に加えて、前記吹出専用開口を前記室内機の主吸込口と主吹出口との中間に位置せしめると共に、前記送風装置の下方に前記室内機の制御部と室外機との接続配線の引出部とを設けた構成としたことである。
【発明の効果】
【００４９】
上記本発明の第１の態様によれば、小型で、構成が簡単で、給気及び排気に切換えできると共に、信頼性の高い送風装置を提供することができる。
【００５０】
上記本発明の具体的な構成例１によれば、更に薄形の送風装置を提供することができる。
【００５１】
上記本発明の具体的な構成例２によれば、風路抵抗の小さい風路切換装置を実現し、限られたスペースでも効率良い風路切換えが可能な送風装置を提供することができる。
【００５２】
上記本発明の具体的な構成例３によれば、換気用の送風装置を有するセパレート型空気調和機の室内機に好適な、軸方向寸法の小さく、風路を切換えても安定した送風機性能を発揮できる送風装置を提供することができる。
【００５３】
上記本発明の具体的な構成例４によれば、給気時に流入空気を清浄にすることができ、かつ、排気運転時の通風抵抗を低減した送風装置を提供することができる。
【００５４】
上記本発明の具体的な構成例５によれば、送風装置の機能部をコンパクトに纏めた薄型の送風装置を提供することができる。
【００５５】
上記本発明の具体的な構成例６によれば、給気機能、排気機能を有する空気調和機に好適な、フィルターのメンテナンス性を向上させた送風装置を提供することができる。
【００５６】
上記本発明の第１の態様によれば、小型で、構成が簡単で、給気及び排気に切換えできると共に、信頼性の高い空気調和機を提供することができる。
上記本発明の具体的な構成例７によれば、壁面直出し配管、側面引出し配管に好適な、換気機能を有する空気調和機を提供することができる。
【００５７】
上記本発明の具体的な構成例８によれば、操作性、据付性に優れた換気機能を有する壁掛けセパレート型の空気調和機を提供することができる。
【００５８】
上記本発明の具体的な構成例９によれば、室内機内の配線の引回しが簡単で、制御部の点検が容易な空気調和機を提供することができる。
【発明を実施するための最良の形態】
【００５９】
以下、本発明の送風装置及びそれを用いた空気調和機の各実施例について図を用いて説明する。
【００６０】
空気調和機の全体構成を、図１〜図５を用いて説明する。図１は本発明の一実施例に係る空気調和機の室内機の外観図、図２は図１の室内機主要部品の内部配置を示す正面図、図３は図１の室内機の背面斜視図、図４は図１のＡ−Ａ断面図、図５は図１のＢ−Ｂ断面図である。
【００６１】
室内機１は、図１に示すように、筐体２、化粧カバー３、前面カバー４を備え構成されている。室内機１には、室内空気の温湿度を調和するために、室内空気を吸込む主吸込口５と、吸込まれた室内空気の温湿度を調整して室内に吹出す主吹出口６（図２参照）とが上下に設けられている。主吹出口６は、室内機１の下部に横長に設けられ、後述する給気運転時の給気吹出口１３に対して主吹出口を構成するものである。主吹出口６には、風向板７が回動可能に設置されている。この風向板７は、吹出される空気の方向を変更するためのものであり、冷房時には略水平方向に吹出すように位置され、また、暖房時には略下方に吹出すように位置される。室内機１は図示しない室外機と共にセパレート形空気調和機を構成している。
【００６２】
筐体２内には、図２に示すように、主フィルター８、主送風機９、熱交換器１０、露受１１が備えられている。主フィルター８は、熱交換器１０の吸込側を覆うように配置され、吸込まれた室内空気中に含まれる塵埃を取除くためのものである。主送風機９は、横長の貫流ファンで構成され、室内空気を主吸込口５から吸い込んで主吹出口６から吹出すように室内機１内の中央に配置されている。熱交換器１０は、主送風機９の吸込側に配置され、略逆Ｖ字状に形成されている。
【００６３】
冷房運転時や除湿運転時に熱交換器１０に凝縮する凝縮水は、図４に示すように熱交換器１０の前後両側の下端部下方に配置された露受１１ａ、１１ｂに集められ、図３に示すようにドレンホース１９で室外に排出される。これらによって、調整された室内空気を流す主通路が形成される。即ち、主送風機９を運転することで、室内空気は主吸込口５から吸込まれ、主フィルター８、熱交換器１０を通った後、主吹出口６から室内に吹出される。
【００６４】
室内機１は、図３に示すように、冷媒配管１６、接続配線１８で室外機（図示せず）に接続され、冷媒を介して室外機から冷熱エネルギーの供給を受け、周知の冷房、暖房等の空気調和運転を行なう。冷媒配管１６は空気調和機の据付時の作業性を考慮して室内機１と室外機の中間で接続されている。室内機１側の冷媒接続配管１６ａは室内機１の製作時に熱交換器１０の冷媒回路に接続され、冷媒接続配管引出部１６ｂから室外機に向かうように構成されている。又、熱交換器１０と冷媒接続配管１６ａの間には、必要に応じて冷媒流制御配管部（図示せず）を設け、きめこまかな空調制御や、冷房、除湿、暖房等の多機能運転に対応することが好ましい。
【００６５】
室内機１の幅方向の配置は熱交換器１０を中心に構成され、熱交換器１０の片側に冷媒接続配管引出部１６ｂが設けられるように冷媒接続配管１６ａが熱交換器１０に接続されている。この熱交換器１０に室内空気を循環させるための主送風機９としては、送風の均一性や低騒音性や配置の単純性などから貫流ファンが主として用いられている。熱交換器１０の横幅とほぼ同一の長さを有する貫流ファン（主送風機）９を熱交換器１０の幅方向と平行に設けることで、熱交換器１０のほぼ全幅にわたってほぼ均一な送風を得ることができる。
【００６６】
この主送風機９を駆動する主送風機モーター１４は主送風機９の左右何れかの一端に設けられるが、スペースを有効に使う点から冷媒接続配管引出部１６ｂ側が採用されることが多い。この熱交換器１０、冷媒接続配管１６ａ、主送風機９、主送風機モーター１４を筐体２、化粧カバー３で囲うように設け、熱交換器１０、主送風機９に対向して筐体２又は化粧カバー３に室内空気の主吸込口５、調和空気の主吹出口６を設けている。
【００６７】
このように構成すると、室内機１の中心が熱交換器１０、主送風機９の中心から冷媒接続配管引出部１６ｂ、主送風機モーター１４側にずれる。このずれが小さいうちは、室内空気の主吸込口５、調和空気の主吹出口６の位置が室内機１の中心から多少ずれるくらいで実用上は何の支障もなく空気調和運転ができる。しかし、主送風機モーター１４、冷媒流制御配管部の横幅寸法が大きくなると室内空気の主吸込口５、調和空気の主吹出口６の位置が室内機１の中心からのずれが増え、室内機１の対称性が損なわれ外観意匠上、好印象を与えにくくなる。
【００６８】
このような室内機１に換気機能を付加する場合で、換気装置の横幅があまり薄くない場合は、熱交換器１０を挟んで主送風機モーター１４、冷媒接続配管引出部１６ｂと反対側に収納する。この場合、室内機１の対称性は向上するが、据付時の配管作業が複雑になり作業性が良くない。
【００６９】
本実施例によれば、回動型の風路切換装置４０（図７参照）を使用して横幅が薄い送風装置２０を実現し、この薄型の送風装置２０を、室内機１の対称性をあまり崩さずに主送風機モーター１４、冷媒接続配管引出部１６ｂの脇に収納するようにしている。このように構成することにより、室内機１の据付の大半を占める、冷媒接続配管引出部１６ｂ側に壁孔を設けて、冷媒接続配管１６ａ、室外ダクト１５を同じ壁孔から引出す据付ができるので、据付時の配管作業が容易になり作業性が向上する。
【００７０】
送風装置２０は、図５に示すように、室内空気を吸込む吸込口２１ａを前部に有している。この吸込口２１ａは、主吸込口５の下流側に連通されるように位置し、主吸込口５から吸込まれた室内空気が吸込フィルター２１ｂを介して吸込まれる。つまり、送風装置２０のために室内機１に専用の吸込口を設けずに、熱交換器１０へ室内空気を取込むための主吸込口５と共用させることで部品点数を少なくできる。
【００７１】
送風装置２０には給気吹出ダクト１２が連通して取付けられ、その給気吹出ダクト１２には給気吹出口１３が設けられている。具体的には、給気吹出ダクト１２は主吹出口６の上方で送風装置２０側に位置している。その給気吹出ダクト１２の先端部、換言すれば主吹出口６の上方に給気吹出口１３が設けられている。これにより、送風装置２０から室内へ吹出される空気は、吹出ダクト接続部２２ａから給気吹出ダクト１２に送風され、その給気吹出ダクト１２の先端に位置する給気吹出口１３から室内に吹出される。
【００７２】
送風装置２０は、室内空気を室外に排気すると共に新鮮な室外空気を取込む吸込吹出ダクト接続部２３ａを後部に有している。そして、吸込吹出ダクト接続部２３ａには室外ダクト１５が接続され、この室外ダクト１５が室内機１と室外機を接続する冷媒配管１６と一緒に家屋の配管孔を通って室外に引出され、室外ダクト１５の先端が外気に開放され、冷媒配管１６は室外機に接続される。
【００７３】
ここに、室内機１の電気品を制御する制御部１７は、薄型になった送風装置２０の下方に収納されるので冷媒配管１６と一緒になって引回される室外機との接続配線１８が冷媒接続配管引出部１６ｂの近くに引回され、すぐに制御部１７近くに設けた配線接続部１７ａに接続することができ、かつ、室内機１内の配線引回しが短くて簡単になり材料費や組立て時間の節約になり、コストが廉くなる。
【００７４】
しかもこの制御部１７には繊細な電子部品などが集積され、不具合が生じた場合に空気調和機が機能不全に陥るなど、故障の影響が大きいが、制御部１７を送風装置２０の下方の室内機１の下部に設けたので、不具合が生じた場合の点検する時の目の高さを低くでき、これにより点検が容易となる。
【００７５】
尚、本実施例では、冷媒接続配管引出部１６ｂと送風装置２０を室内機１の右側に配置したが、それらを逆にして左側に配置しても同様の効果を得ることが可能である。また、冷媒接続配管引出部１６ｂが配置される側と反対側に送風装置２０を配置しても送風装置としては同様の効果を得ることが可能である。
【００７６】
次に、送風装置２０の構成及び機能を、図６、図７、図２０を参照しながら説明する。図６（ａ）は本発明の一実施例に係る送風装置の外観図、図６（ｂ）は図６（ａ）の送風装置を反対側から見た外観図、図７（ａ）は図６（ａ）の送風装置の右側板を破断した斜視図、図７（ｂ）は図６（ｂ）の送風装置の左側板を破断した斜視図、図２０（ａ）は図６の送風装置の左側面図、図２０（ｂ）は図２０（ａ）のＰＱＲＳＴＵを通る線に沿った断面図である。
【００７７】
送風機３３は、シロッコファン、ターボファンなどの遠心ファンにより構成され、逆回転させても逆方向の風は発生しない。比較的高い風圧が得られ、狭い風路であっても軸流ファンより高風量を得ることができる。
【００７８】
送風装置２０は、略右半部を送風機部５０とし、略左半部を風路切換装置４０として構成されている。送風機３３の回転軸と風路切換装置４０の回動軸とを平行にして、両者を寸法の一番小さい方向どうしを重ねるようにして、両者の間に吸込室３１を挟んで重ねたので、送風装置２０の横幅寸法を小さくできる。また、前側及び右下部に各種フィルター２１ｂ、２４、３６を配置することで、送風装置２０の幅寸法を狭くしている。これらの構成によって、室内機１の幅寸法を広げることなく送風装置２０を室内機１に収納できるように構成している。
【００７９】
吸込室３１は、送風装置２０の性能を安定させるためのものであり、送風機３３の吸込口であるマウスリング３１ｂに連通してそのマウスリング３１ｂの径より大きく設けられ、送風機部５０の風路切換装置４０側に設けられている。風路切換装置４０から空気を送風機３３に直接吸込ませるようにすると、風路切換装置４０の開口がマウスリング３１ｂの径より小さい場合には、送風機性能が大幅に低下し、風路切換装置４０の開口がマウスリング３１ｂの径より大きい場合には、風路切換装置４０が大型化してしまう。これに対して、本実施例のように風路切換装置４０と送風機３３との間に吸込室３１を設けることで、風路切換装置４０の開口を小さくしつつ、送風機性能の低下を防止できる。これによって、風路切換装置４０の小型化が可能となり、慣性モーメントが小さくなって、小さなモーターで風路切換装置４０を直接駆動することが可能となり、ギアなどの部品を減らすことができる。また、吸込室３１は、後述するようにハウジング蓋４６ｊの一部を共用して構成されており、これにより材料を節減することができる。
【００８０】
なお、本実施例では、送風機３３の回転軸と風路切換装置４０の回動軸とを平行にしているが、横幅寸法をさらに小さくするため、風路切換装置４０の回動軸を若干傾けて略平行とし、送風機３３の回転軸と直角方向から見て、風路切換装置４０の一部が吸込室３１部分に重なるように構成しても同様の効果を得ることができる。この場合、風路切換装置４０の回動軸を傾け過ぎると、風路切換装置４０の一部が送風機部５０の吹出室３２を通り越し、送風装置２０の横幅が大きくなってしまい、横幅を小さくする効果が得られなくなる。
【００８１】
送風装置２０の上右半部に位置する送風機部５０は、送風機３３と、送風機３３を駆動する送風機モーター３４と、送風機３３の空気吸込側の風路を形成する吸込室３１と、送風機３３の空気吹出側の風路を形成するとともに送風機３３及び送風機モーター３４が収納された吹出室３２と、吸込室３１と吹出室３２とを仕切り、送風機３３のマウスリング３１ｂを設けた仕切板３１ａと、を主要構成要素して構成されている。３１ｄは吸込室蓋、３２ａは吹出室蓋である。マウスリング３１ｂは送風機３３の吸込口を形成している。
【００８２】
送風装置２０の下左半部に位置する風路切換装置４０は、風路切換体４１と、この風路切換体４１を内包する外殻４６と、風路切換体４１の駆動装置４７と、を主要構成要素として構成されている。外殻４６はハウジング４６ｉとハウジング蓋４６ｊとからなっている。ハウジング４６ｉの円板部４６ｈの外周に立設された周壁４６ｋには、前側上部に吸込専用開口４６ａが設けられ、前側下部に吹出専用開口４６ｂが設けられている。円板部４６ｈの中央部には、ハウジング蓋４６ｊ側に突出して形成されたハウジング凹部４６ｇが設けられている。ハウジング凹部４６ｇには駆動装置４７が収納されている。駆動装置４７の軸は、ハウジング凹部４６ｇの中心に設けられた軸開口４６ｌを貫通し、風路切換体４１側に突出している。
【００８３】
ハウジング周壁４６ｋの吸込専用開口４６ａ、吹出専用開口４６ｂは、風路切換体４１の外周壁４３に設けられた吸込開口（循環運転時は循環吹出開口）４３ａ、吹出開口４３ｂ、循環開口４３ｃに給気、排気、循環運転の何れかの時に対向するように設けられている。
【００８４】
ハウジング蓋４６ｊは、後側下部に吸込吹出兼用開口４６ｃ、前側上部に吸出専用開口４６ｄ、前側中央部に吹込専用開口４６ｅ、前側下部に吸気フィルター用開口４６ｆが設けられている。このハウジング蓋４６ｊは風路切換体４１と吸込室３１を区画するもので、吸込室蓋３１ｄの一部として共用されており、部品点数が少ないものとなっている。この場合、駆動装置４７はハウジング４６ｉと固定され、その駆動装置４７の駆動軸に風路切換体４１の係合孔４２ｂが係合されているので、これらの三者を集合部品として持運び、組付け等の取扱いができ、ハンドリング上の支障は生じない。
【００８５】
ハウジング蓋４６ｊの吸込吹出兼用開口４６ｃ、吸出専用開口４６ｄ、吹込専用開口４６ｅ、吸気フィルター用開口４６ｆは、吸気吸込開口４４ａ、吸気吸出開口４４ｂ、吹込開口４４ｃ、吸出開口（循環運転時は循環吹込開口）４４ｄ、吐気吹込開口４４ｅ、吐気吹出開口４４ｆに、給気、排気、循環運転の何れかの時に対向するように設けられている。
【００８６】
風路切換体４１は、ローター４５とローター蓋４４とから構成されている。ローター４５の平板部４５ｂには、外周壁４３と隔壁４１ｇ〜４１ｊとが立設して設けられている。平板部４５ｂの中央部には、外周壁４３及び隔壁４１ｇ〜４１ｊの立設方向に突出してローター凹部４２が設けられている。この、ローター凹部４２は、ハウジング凹部４６ｇを囲み、ハウジング凹部４６ｇに収納されている駆動装置４７を囲繞している。このように構成することにより、駆動装置４７の風路切換体４１の幅寸法からのはみ出しを小さくすることができ、送風装置２０の幅寸法を薄くできる。ローター凹部４２の底部中央には係合孔４２ｂが設けられ、軸開口４６ｌから突出した駆動装置４７の軸に上記係合孔４２ｂが嵌合され係止されている。
【００８７】
ローター４５は、平板部４５ｂに立設したローター凹部４２、外周壁４３、隔壁４１ｇ〜４１ｊにより、吸気風路（循環運転時は循環吸込風路）４５ｃ、吹出風路４５ｄ、吸込風路（循環運転時は循環吹出風路）４５ｅ、吐気風路４５ｆを設けている。外周壁４３には吸込開口（循環運転時は循環吹出開口）４３ａ、吹出開口４３ｂ、循環開口４３ｃが設けられている。
【００８８】
ローター蓋４４は上記の各風路４５ｃ〜４５ｆを覆うようにローター凹部４２と外周壁４３の間に被せ、吸気吸込開口４４ａ、吸気吸出開口４４ｂ、吹込開口４４ｃ、吸出開口（循環運転時は循環吹込開口）４４ｄ、吐気吹込開口４４ｅ、吐気吹出開口４４ｆを設けている。外殻４６と風路切換体４１とは、風路切換体４１の所定の回動位置で重なり合い連通している外殻開口４６ａ〜４６ｆと風路切換体開口４３ａ〜４３ｃ、４４ａ〜４４ｆ以外の開口とからの空気洩れが少なくなるように摺接している。
【００８９】
ハウジング周壁４６ｋの吸込専用開口４６ａに吸込補助ダクト２１を接続し、その先端の吸込口２１ａに吸込フィルター２１ｂを設けている。また、吹出専用開口４６ｂに吹出補助ダクト２２を接続している。また、吸気フィルター用開口４６ｆから吸込室３１に連通する吸気通路３５を設け、吸気通路３５内の吸気フィルター用開口４６ｆに隣接して吸気フィルター収納部３６ｃを設け、そこに吸気フィルター３６を収納し、その前側に吸気フィルター着脱開口３５ａを設ける。
【００９０】
吸込吹出兼用開口４６ｃに吸込吹出補助ダクト２３が連設され、その先端に吸込吹出ダクト接続部２３ａが設けられている。吸込吹出補助ダクト２３内にプレフィルター嵌合部２３ｃが設けられてプレフィルター２４が装着され、その前側にプレフィルター着脱開口２４ｃが設けられている。係る構成を備えた送風装置２０は空気調和機に組込まれ、吸込吹出ダクト２３ａに室外ダクト１５を図５の如く接続する。
【００９１】
また、吹出室３２内に送風機３３及び送風機モーター３４が収納され、吸込室３１から吹出室３２への空気流の移動は送風機３３を回転させることによって行われる。送風機３３は、室内機１の長手方向である軸方向から空気を吸込んで円周方向に吹出す遠心形ファンからなる。吸込んだ空気をファン軸方向に吹出すプロペラファンと違い、遠心形ファンならば吸込んだ空気を円周方向に吹出すので、送風装置２０のファン軸方向の幅寸法を小さくできる。送風機モーター３４は送風装置２０の幅寸法が小さくなるように送風機３３の凹部に組込まれている。
【００９２】
ローター４５はローター風路４５ｃ〜４５ｆを流れる空気の抵抗を比較的小さくできるよう風路の断面を略長方形にすると良く、ローター４５の横幅はローター４５の直径より小さくなるので、駆動軸方向の寸法が小さくなり、送風機部５０と重ねる場合はお互いの駆動軸を平行にすることにより薄型の送風装置２０を得ることができる。
【００９３】
送風装置２０の下半部には、空気中に含まれる塵埃とともに人体に有害な物質を取除く吸気フィルター３６、空気中の塵埃を取除くプレフィルター２４、給気吹出口１３へ空気を誘導する吹出ダクト接続部２２ａ、汚れた室内空気を室外に排気もしくは新鮮な室外空気を室内に取込む吸込吹出ダクト接続部２３ａ、風路を切換え空気の流れを制御する風路切換装置４０を備えている。プレフィルター２４は空気清浄機に用いられているような目の細かいフィルターが用いられる。
【００９４】
風路切換装置４０を動作させることで空気流の風路を切換え、次の（Ａ）〜（Ｃ）の３の送風路を形成することが可能となっている。
（Ａ）吸込室３１を吸込吹出補助ダクト２３、吸気風路４５ｃに連通させ、吹出室３２を吹出風路４５ｄ及び吹出補助ダクト２２に連通させ、吸込補助ダクト２１を遮断することにより、室外空気を吸込吹出ダクト接続部２３ａより送風機３３に吸込み、送風機３３から吹出された空気を吹出ダクト接続部２２ａに吹出させる風路。（給気運転風路）
【００９５】
（Ｂ）吸込室３１を吸込補助ダクト２１、吸込風路４５ｅに連通させ、吹出室３２を吐気風路４５ｆ、吸込吹出補助ダクト２３に連通させ、吸気フィルター用開口４６ｆを閉じ、吹出補助ダクト２２を遮断することにより、室内空気を吸込口２１ａより送風機３３に吸込み、送風機３３から吹出された空気を吸込吹出ダクト接続部２３ａに吹出させる風路。（排気運転風路）
【００９６】
（Ｃ）吸込室３１を吸込補助ダクト２１、循環吸込風路４５ｃに連通させ、吹出室３２を循環吹出風路４５ｅ、吹出補助ダクト２２に連通させ、吸込吹出兼用開口４６ｃを遮断することにより、室内空気を吸込口２１ａより送風機３３に吸込み、送風機３３から吹出された空気を吹出ダクト接続部２２ａに吹出させる風路。（循環運転風路）
【００９７】
吸気フィルター３６は、塵埃等を濾過する目が０．５〜１．０μｍの濾過部と臭気を吸着する吸着部（具体的には活性炭）から構成されている。フィルター面積を増して通風抵抗を低減するためシート状のフィルターを細く折り畳んで（ひだ）形成している。この吸気フィルター３６は、ディーゼル車の排気ガスに含まれる微細粒子、タバコの煙、トルエン等の有機溶剤を濾過する性能を備えている。
【００９８】
さて、本実施例では、室外の空気を室内に取込む際に、この吸気フィルター３６を介して室内に取込むようにした。近年、都市部では、屋外の大気が汚染されている傾向にあり、様々な汚染物質が空気中に浮遊している。また、郊外であっても、例えば、近隣での外壁塗装作業などで気化した有機溶剤が漂っている、焚き火の煙が浮遊しているなど大気を汚染する要因がある。このような環境下で外気を導入すると、これら汚染物質が室内に入り込み、居住者にとって不快なものとなってしまう。
【００９９】
そこで、本実施例に係る空気調和機では、給気運転が手動または自動で選択され、送風装置２０（換気装置）を動作させて室外の空気を導入する際に、吸気フィルター３６を通し、このフィルターの能力の範囲で除去できる物質を除去して室内に供給するようにした。これにより、屋外の空気が上記原因物質により汚染されている場合、屋外の空気を清浄な空気にして屋内に取込むことができるので、外気導入に伴う不快感を軽減することができる。
【０１００】
なお、送風装置２０の運転として外気を導入する給気運転の他、室内空気を室外に排出する排気運転、室内空気を吸って室内に戻す循環運転がある。しかし、排気運転及び循環運転は、吸気フィルター３６を通さずに排気又は循環を行なう。また、この吸気フィルター３６が０．３〜３μｍの大きさのウイルスを捕捉できるような性能とすれば、給気運転による外からのウイルスの侵入を防止することができる。
【０１０１】
図６に示すように、送風装置２０は、上から、回転軸が主送風機９の軸と略平行になるように配置された送風機３３、一方の面が吸込吹出ダクト接続部２３ａに連通する風路に面したプレフィルター２４、通風面が送風機３３の空気吸い込み面と同一方向に面した、換言すると、ひだをなくした場合の通風面の垂線が送風機３３の駆動軸と略平行となるように配置された吸気フィルター３６が収納されている。
【０１０２】
このように、送風機３３の通風面と吸気フィルター３６の通風面とが直角にならないように、望ましくは、両方の面の垂線が平行となるように、送風機３３及び吸気フィルター３６を配置したことで、送風装置２０の幅を薄くすることができ、室内機１の幅を大きくしなくても、送風装置２０を室内機１に収納ができる。
【０１０３】
また、プレフィルター２４は、主に給気時に室外からの空気と一緒に入り込んでくる大きめの塵埃を取除くためのもので、吸込吹出ダクト接続部２３ａの開口面と同一面積とすると直ぐに目詰まりしてしまう。そこで、本実施例では、図６に示すとおり、吸込吹出補助ダクト２３の前後方向寸法を吸込吹出兼用開口４６ｃの前後方向寸法より大きくし、吸込吹出補助ダクト２３の最後部にプレフィルター嵌合部２３ｃを設け、プレフィルター２４のフィルター面の前後方向寸法を吸込吹出補助ダクト２３の前後方向寸法とほぼ等しくする。
【０１０４】
これにより、プレフィルター２４の面積を大きくすることができ、プレフィルター２４が目詰まりするまでの期間を延ばしている。さらに、プレフィルター２４の面積を大きくし、吸気フィルター３６の面積を広くするために、室外開口部である吸込吹出ダクト接続部２３ａは、正面から見て吸気フィルター収納部３６ｃの上下方向投影面内に一部又は全部が掛かるように、吸気フィルター収納部３６ｃの背面に回込んで形成されている。
【０１０５】
このように吸気フィルター３６の収納部の背面に吸込吹出ダクト接続部２３ａを配置することで、送風装置２０の高さ寸法を小さくできるという効果を奏する。プレフィルター着脱開口２４ｃは吸気フィルター着脱開口３５ａの下方に設けられており、室内機１の前側からプレフィルター２４を着脱して清掃することができ、清掃性が良い。
【０１０６】
吸気フィルター３６及びプレフィルター２４は、送風装置２０に挿入する際、室内機１の正面側から奥行方向に向かって挿入される。吸気フィルター３６は立てて挿入される。プレフィルター２４は、横にしてガイド（図示せず）に案内されて挿入され、プレフィルター嵌合部２３ｃで係止される。それらフィルター３６、２４が上下方向に並んで配設されることで、送風機３３の軸方向寸法を短くすることができる。
【０１０７】
また、吸気フィルター３６及びプレフィルター２４は、共に送風装置２０の正面側に吸気フィルター取っ手３６ａ及びプレフィルター取っ手２４ａが位置しており、必要に応じて室内機１の前面カバー４を開けて、吸気フィルター取っ手３６ａ及びプレフィルター取っ手２４ａを持って抜取り及び装着することができる。プレフィルター２４は、可撓性を有しており、送風装置２０の正面から奥行方向へ、吸気フィルター収納部３６ｃを回込むように挿入される。また、プレフィルター２４は、吸込吹出ダクト接続部２３ａと吸込吹出兼用開口４６ｃとの間に配されて、吸込吹出補助ダクト２３に設けられたプレフィルター嵌合部２３ｃに嵌合される。
【０１０８】
尚、本実施例では、空気中の塵埃を除去するだけでなく人体に有害な成分も除去するために吸気フィルター３６を採用しているが、一般的なフィルターであって、プレフィルター２４より目の細かいフィルターを採用して空気中の塵埃だけを除去するようにしてもよい。
【０１０９】
次に、送風装置２０による給気運転、排気運転および循環運転について図８および図９を参照しながら説明する。図８は図２に示した送風装置２０の空気の流れを表す模式図、図９は図２に示した送風装置２０の運転の状態図である。
【０１１０】
送風装置２０には給気運転、排気運転および循環運転の３種類の運転モードと運転停止の状態とがある。そして、それぞれの運転モードにおける風の流れ方向及び風路切換装置４０の開閉位置は図９に示す通りである。なお、運転停止の状態では当然であるが風は流れることなく、風路切換体４１は位置Ｄにあって、吸込口２１ａ及び吹出ダクト接続部２２ａへ吸込吹出ダクト接続部２３ａから室外空気が室内に侵入するのを防いでいる。
【０１１１】
また、詳細に説明しないが、それぞれの運転モードの切換えは、手動の場合、リモコンスイッチの操作部で行なうか、室内機１の操作部で行なうことになる。また、自動の場合、制御部１７からの指令によって行われる。送風装置２０の運転は室内機１の冷暖房運転と併用して運転することもできれば、送風装置２０単独で運転することもできる。さらに、送風装置２０にタイマーを設けて一定時間運転後、自動的に運転を停止させることも可能である。
【０１１２】
図８に示すように送風装置２０に使用している送風機３３は、一定方向に回転して矢印方向に空気を流動させているので、吸込室３１、吹出室３２、マウスリング３１ｂを一方向の空気の流れのみを考慮した形状とすればよい。このため、送風機３３の送風効率を向上させることができるとともに、送風機３３の運転騒音を低減させることができる。
【０１１３】
風路切換装置４０を回動させることで、吸込口２１ａから室内空気を吸込む風路、あるいは吸込吹出ダクト接続部２３ａから室外空気を吸込む風路のどちらかに切換えると共に、給気吹出口１３から空気を室内へ吹出す風路、あるいは吸込吹出ダクト接続部２３ａから室外へ空気を排気する風路のどちらかに切換えて、送風装置２０の運転モードを給気運転、排気運転および循環運転モードのいずれかに切換えている。
【０１１４】
即ち、給気運転では、風路切換体４１が位置Ａにあって、吸込室３１が吸込補助ダクト２１と遮断され、吸込吹出補助ダクト２３と連通するので、吸込吹出補助ダクト２３、プレフィルター２４、吸気フィルター３６、吸気通路３５を通して室外空気が吸込まれる。更に、吹出室３２が吹出補助ダクト２２と連通するので、吹出された室外空気は吹出補助ダクト２２、吹出ダクト接続部２２ａ、給気吹出ダクト１２に送風され、給気吹出口１３から室内に吹出されることになる。
【０１１５】
本実施例の場合、送風機３３によって吸込まれる室外空気は、室外ダクト１５を通り吸込吹出ダクト接続部２３ａから吸込吹出ダクト２３を通って吸込まれ、プレフィルター２４の表面で空気中に含まれている塵埃を取除かれた後に、吸気フィルター３６の表面で空気中に含まれている塵埃とともに人体に有害な物質を取除かれ、吸気フィルター３６の中を通過して吸気通路３５に導かれ、送風機３３に吸込まれ、その後に吹出補助ダクト２２を通って給気吹出口１３から室内に吹出されることになる。
【０１１６】
また、排気運転では、風路切換体４１が位置Ｂにあって、吸込室３１が吸込補助ダクト２１と連通するので、吸込フィルター２１ｂ、吸込補助ダクト２１を通して室内空気が吸込まれ、更に、吹出室３２が吹出補助ダクト２２と遮断され、吸込吹出補助ダクト２３と連通するので、吹出された室内空気は吸込吹出補助ダクト２３、プレフィルター２４を通って吸込吹出ダクト接続部２３ａから室外ダクト１５に流れ室外に排気されることになる。
【０１１７】
また、循環運転では、風路切換体４１が位置Ｃにあって、吸込室３１が吸込補助ダクト２１と連通するので、吸込フィルター２１ｂ、吸込補助ダクト２１を通して室内空気が送風機３３に吸込まれる。更に、吹出室３２が吹出補助ダクト２２と連通するので、送風機３３から吹出された室外空気は、吹出補助ダクト２２、吹出ダクト接続部２２ａ、給気吹出ダクト１２に送風され、給気吹出口１３から室内に吹出されることになる。
【０１１８】
また、運転停止時には、風路切換体４１が位置Ｄにあって、吸込補助ダクト２１、吹出補助ダクト２２を通して室外空気が室内に侵入してしまうことを防いでいる。そのため、運転停止時に室外空気が吸込吹出ダクトを通して侵入するのを防ぐための逆風防止用弁等を設ける必要がない。
【０１１９】
次に、給気運転時の詳細について図１０、図１５及び図１６を主に参照しながら説明する。
【０１２０】
給気運転する時には、風路切換体４１を駆動装置４７により回動させ、図１０、図１５及び図１６に示すように、吸込吹出兼用開口４６ｃと吸気吸込開口４４ａ、吸気吸出開口４４ｂと吸気フィルター用開口４６ｆ、吹込専用開口４６ｅと吹込開口４４ｃ、及び吹出開口４３ｂと吹出専用開口４６ｂがそれぞれ連通する位置に合わせる。
【０１２１】
このように構成することにより、吸込室３１は、吸気通路３５を通して吸気フィルター３６、吸気フィルター用開口４６ｆ、吸気吸出開口４４ｂ、吸気風路４５ｃ、吸気吸込開口４４ａ、吸込吹出兼用開口４６ｃ、吸込吹出補助ダクト２３、プレフィルター２４、吸込吹出ダクト接続部２３ａ、室外ダクト１５に連通する。他方、吹出室３２は、吹込専用開口４６ｅ、吹込開口４４ｃ、吹出風路４５ｄ、吹出開口４３ｂ、吹出専用開口４６ｂ、吹出補助ダクト２２、吹出ダクト接続部２２ａ、給気吹出ダクト１２、給気吹出口１３に連通する。
【０１２２】
この状態で送風装置２０の送風機３３を回転させることにより、室外の空気が室外ダクト１５を通って、吸込吹出ダクト接続部２３ａより吸込まれ、吸込吹出兼用開口４６ｃに接続された吸込吹出補助ダクト２３に入り、吸込吹出補助ダクト２３内に設置されたプレフィルター２４を通過し、除塵される。除塵された室外空気は吸込吹出補助ダクト２３内を流れて、吸込吹出兼用開口４６ｃから風路切換装置４０に入り、風路切換体４１の吸気吸込開口４４ａを通って、吸気風路４５ｃを流れる。
【０１２３】
吸気風路４５ｃに流れた室外空気は吸気吸出開口４４ｂを通って吸気フィルター用開口４６ｆから風路切換装置４０を出る。吸気フィルター用開口４６ｆから出た室外空気は吸気フィルター用開口４６ｆに隣接した吸気フィルター収納部３６ｃに入り、吸気フィルター収納部３６ｃに収納された吸気フィルター３６を通る。実施例では吸気吸込開口４４ａと吸気吸出開口４４ｂとを各々独立して設けているが、各開口が近接していて同一の風路に開口し、かつ、風路切換体の各回動位置で空気の流れに支障を生じないので、これらの二つの開口を繋げて大きな一つの開口にしても良い。
【０１２４】
吸気フィルター３６に入った室外空気は、吸気フィルター３６の表面で空気中に含まれている塵埃とともに人体に有害な物質を取除かれ、吸気フィルター収納部３６ｃと吸込室３１とを繋いでいる吸気通路３５に吸出され、吸込室３１に入り、仕切板３１ａに設けたマウスリングを３１ｂを通って送風機３３に吸込まれ、送風機３３で加圧されて吹出室３２に吹出される。吹出された室外空気は、吹込専用開口４６ｅから風路切換装置４０に再び入り、風路切換体４１の吹込開口４４ｃを通って吹出風路４５ｄを流れ、風路切換体４１の吹出開口４３ｂを通って吹出専用開口４６ｂから風路切換装置４０を出る。
【０１２５】
風路切換装置４０を出た室外空気は、吹出専用開口４６ｂに接続されている吹出補助ダクト２２を流れて吹出ダクト接続部２２ａに至り、吹出ダクト接続部２２ａに接続された給気吹出ダクト１２を流れて給気吹出口１３から室内に新鮮外気として吹出される。
【０１２６】
このようにして、室外空気を室外ダクト１５から吸込み、プレフィルター２４で除塵し、吸気フィルター３６の表面で空気中に含まれている塵埃と共に、人体に有害な物質を除去し、給気吹出口１３から吹出す給気運転が実現される。このように室外空気が流れる送風機３３の吸込側の吸気吸込開口４４ａから吸気吸出開口４４ｂに至る吸気風路４５ｃと、送風機３３の吹出側の吹込開口４４ｃから吹出開口４３ｂに至る吹出風路４５ｄとの二つの風路を風路切換装置４０の横幅寸法部分に収めたことにより、送風装置２０の横幅寸法を小さくできる。
【０１２７】
この時、吸込室３１は吸出専用開口４６ｄ、吐気吹出開口４４ｆ、吐気風路４５ｆにも連通するが、その先には連通する開口が無いので、吸込吹出ダクト接続部２３ａ以外から吸気することは無い。
【０１２８】
次に、排気運転時の詳細について図１１、図１７を主に参照しながら説明する。
【０１２９】
排気運転する時には、風路切換体４１を駆動装置４７により回動させて図１１及び図１７に示すように、吸込専用開口４６ａと吸込開口４３ａ、吸出開口４４ｄと吸出専用開口４６ｄ、吹込専用開口４６ｅと吐気吹込開口４４ｅ、及び吐気吹出開口４４ｆと吸込吹出兼用開口４６ｃがそれぞれ連通する位置に合わせる。
【０１３０】
このようにすることにより、吸込室３１は、吸出専用開口４６d、吸出開口４４d、吸込風路４５ｅ、吸込開口４３ａ、吸込専用開口４６ａ、吸込補助ダクト２１、吸込フィルター２１ｂ、吸込口２１ａに連通する。他方、吹出室３２は、吹込専用開口４６ｅ、吹込開口４４ｅ、吐気風路４５ｆ、吐気吹出開口４４ｆ、吸込吹出兼用開口４６ｃ、吸込吹出補助ダクト２３、吸込吹出ダクト接続部２３ａに連通する。
【０１３１】
この状態で送風装置２０の送風機３３を回転させることにより、室内空気は主吸込口５から吸込まれ、室内機１の内部に開口した吸込口２１ａから送風装置２０に入り、吸込補助ダクト２１内に設置された吸込フィルター２１ｂを通過し、除塵される。
【０１３２】
除塵された室内空気は、吸込補助ダクト２１が接続している吸込専用開口４６ａから風路切換装置４０に入り、風路切換体４１の吸込開口４３ａを通って吸込風路４５ｅを流れ風路切換体４１の吸出開口４４ｄを通って吸出専用開口４６ｄから風路切換装置４０を出る。吸出専用開口４６ｄから吸出された室内空気は、吸込室３１に入り、仕切板３１ａに設けたマウスリングを３１ｂを通って送風機３３に吸込まれ、送風機３３で加圧されて吹出室３２に吹出される。
【０１３３】
吹出された室外空気は、吹込専用開口４６ｅから風路切換装置４０に再び入り、風路切換体４１の吐気吹込開口４４ｅを通って吐気風路４５ｆを流れ、風路切換体４１の吐気吹出開口４４ｆを通って吸込吹出兼用開口４６ｃから風路切換装置４０を出る。吸込吹出兼用開口４６ｃから吹出された室内空気は、吸込吹出補助ダクト２３へ流れ、プレフィルター２４を通って吸込吹出ダクト接続部２３ａから室外ダクト１５を通って室外に排出される。
【０１３４】
このようにして室内空気を主吸込口５から吸込み、吸込フィルター２１ｂで除塵し、室外ダクト１５から室外に吹出す排気運転が実現される。このように室内空気が流れる送風機３３の吸込側の吸込開口４３ａから吸出開口４４ｄに至る吸込風路４５ｅと、送風機３３の吹出側の吐気吹込開口４４ｅから吐気吹出開口４４ｆに至る吐気風路４５ｆの二つの風路を風路切換装置４０の横幅寸法部分に収めたことにより、送風装置２０の横幅寸法を小さくできる。
【０１３５】
この時、吸込室３１は、吸気通路３５を通じて吸気フィルター３６、吸気フィルター用開口４６ｆにも連通するが、その先には連通する開口が無いので、吸込口２１ａ以外から吸気することは無い。ここで、プレフィルター２４の吸込吹出ダクト接続部２３ａ側には、給気運転の際に室外空気中から取除いた塵埃が集積しているが、排気運転時の室内空気がプレフィルター２４を流れることにより、プレフィルター２４の吸込吹出ダクト接続部２３ａ側の表面に集積している塵埃を効果的に除去することができる。
【０１３６】
したがって、送風装置２０は、給気運転と排気運転を繰り返すことにより、プレフィルター２４をセルフクリーニングすることになり、プレフィルター２４の清掃の回数を少なくすることができる。また、給気運転中、自動的に一定時間排気運転に切換えることで、プレフィルター２４に流れる空気流の方向を切換え、目詰まりを防止することができる。
【０１３７】
また、排気運転のときには、排気する室内空気が吸気フィルター３６を通らないので排気運転時の通風抵抗が減少し、排気する室内空気の量を増やすことができ、効率の良い排気運転が可能となる。
【０１３８】
以上、給気運転及び排気運転について説明したが、これらに加えて室内開口をもう一つ設け、一方を室内空気の吸込み専用、他方を吹出し専用とすることで、以下に説明する循環運転を行なうことができるようになり、多彩な用途が広がってくる。
【０１３９】
次に、循環運転時の詳細について図１２、図１８を主に参照しながら説明する。
【０１４０】
循環運転する時には、風路切換体４１を駆動装置４７により回動させて図１２及び図１８に示すように、吸込専用開口４６ａと循環開口４３ｃ、循環吸出開口４４ａと吸出専用開口４６ｄ、吹込専用開口４６ｅと循環吹込開口４４ｄ、循環吹出開口４３ａと吹出専用開口４６ｂがそれぞれ連通する位置に合わせる。
【０１４１】
このようにすることにより、吸込室３１は、吸出専用開口４６ｄ、循環吸出開口４４ａ、循環吸込風路４５ｃ、循環開口４３ｃ、吸込専用開口４６ａ、吸込補助ダクト２１、吸込フィルター２１ｂ、吸込口２１ａに連通する。他方、吹出室３２は、吹込専用開口４６ｅ、循環吹込開口４４ｄ、循環吹出風路４５ｅ、循環吹出開口４３ａ、吹出専用開口４６ｂ、吹出補助ダクト２２、吹出ダクト接続部２２ａに連通する。
【０１４２】
この状態で送風装置２０の送風機３３を回転させることにより、室内空気は、主吸込口５から吸込まれ、室内機１の内部に開口した吸込口２１ａから送風装置２０に入り、吸込補助ダクト２１内に設置された吸込フィルター２１ｂを通過し、除塵される。
【０１４３】
除塵された室内空気は、吸込補助ダクト２１が接続している吸込専用開口４６ａから風路切換装置４０に入り、風路切換体４１の循環開口４３ｃを通って循環吸込風路４５ｃを流れ風路切換体４１の循環吸出開口４４ａを通って吸出専用開口４６ｄから風路切換装置４０を出る。吸出専用開口４６ｄから吸出された室内空気は、吸込室３１に入り、仕切板３１ａに設けたマウスリングを３１ｂを通って送風機３３に吸込まれ、送風機３３で加圧されて吹出室３２に吹出す。
【０１４４】
吹出された室外空気は、吹込専用開口４６ｅから風路切換装置４０に再び入り、風路切換体４１の循環吹込開口４４ｄを通って循環吹出風路４５ｅを流れ、風路切換体４１の循環吹出開口４３ａを通って吹出専用開口４６ｂから風路切換装置４０を出る。風路切換装置４０を出た室外空気は、吹出専用開口４６ｂに接続されている吹出補助ダクト２２を流れて吹出ダクト接続部２２ａに至り、吹出ダクト接続部２２ａに接続された給気吹出ダクト１２を流れて給気吹出口１３から室内に循環空気として吹出される。
【０１４５】
このようにして、室内空気を主吸込口５から吸込み、吸込フィルター２１ｂで除塵し、給気吹出口１３から吹出す循環運転が実現する。このように室内空気が流れる送風機３３の吸込側の循環開口４３ｃから循環吸出開口４４ａに至る循環吸込風路４５ｃと、送風機３３の吹出側の循環吹込開口４４ｄから循環吹出開口４３ａに至る循環吹出風路４５ｅとの二つの風路を風路切換装置４０の横幅寸法部分に収めたことにより、送風装置２０の横幅寸法を小さくできる。
【０１４６】
この時、吸込室３１は、吸気通路３５を通じて吸気フィルター３６、吸気フィルター用開口４６ｆ、吐気吹込開口４４ｅ、吐気風路４５ｆ、吐気吹出開口４４ｆにも連通するが、その先には連通する開口が無いので、吸込口２１ａ以外から吸気することは無い。そして、給気吹出ダクト１２は、吹出ダクト接続部２２ａに当接して接続されているので、吹出ダクト接続部２２ａから吹出した空気はそのまま給気吹出ダクト１２内に送風されることになる。
【０１４７】
以上の説明は吸込補助ダクト２１、吹出補助ダクト２２が一つだけの場合であるが、例えば吸込補助ダクト２１、吹出補助ダクト２２を各々複数設けて、室内機１の複数の吸込口の内の任意の吸込口から吸込み、あるいは複数の吹出口の内の任意の吹出口から吹出させて換気の機能をより木目細かなものにすることもできる。また、実施例では、ローター４５の外周壁４３は円筒形状としているが、風路切換体の各回動位置毎に外殻内面とのシールを工夫することにより、これを多角形状としても良く、同様の作用を現出することができる。
【０１４８】
また、送風機３３は一定方向に回転しているので、マウスリング３１ｂの形状や、吸込室３１及び吹出室３２の形状に送風機３３に適応した無理のない形状を採用することができ、したがって、送風効率の良い運転騒音の低い送風装置２０を得ることができる。さらに、送風機３３を駆動する送風機モーター３４を送風機３３に設けた凹部に配置し、幅寸法の薄い送風機構を構築し、吸気フィルター３６を送風機部５０の下部に配置して送風装置２０の幅寸法を薄くし、室内機１の幅寸法を大きくすることなく送風装置２０を室内機１に収納できるようにしている。
【０１４９】
以上説明したように、本実施例によれば、空気を送風する送風機部５０と、室外空気を室内へ給気する風路と室内空気を室外へ排出する風路とに切換える風路切換装置４０と、を備える送風装置２０において、送風機部５０は、空気を軸方向より吸込んで円周方向に吹出す遠心形の送風機３３と、送風機３３の吸込口に連通してその吸込口より大きく形成した吸込室３１と、送風機３３の吹出側に形成した吹出室３２とを備え、風路切換装置４０は、複数の開口を有する外殻４６と、外殻４６内に回動可能に配置すると共に内部を複数の風路に区分する隔壁を有する風路切換体４１と、風路切換体４１の複数の風路と外殻４６の複数の開口との連通を切換えるように風路切換体４１を回動する駆動装置４７とを備え、風路切換装置４７は送風機部５０の吸込室３１に重なるように並置したので、小型で、構成が簡単で、給気及び排気に切換えできると共に、信頼性の高いものとすることができる。
【０１５０】
また、本実施例の送風装置２０は、送風機３３の回転軸と風路切換体４１の回動軸とを略平行に設けると共に、風路切換体４１中央部及び風路切換装置４０の外殻４６中央部に凹部４２、４６ｇを設け、駆動装置４７の１部又は全部を何れかの凹部４２、４６ｇで囲繞するので、更に薄形の送風装置を得ることができる。
【０１５１】
また、ローター４５のローター凹部４２や平板部４５ｂは各々外殻ハウジング４６ｉの円板部４６ｈやハウジング凹部４６ｇと常に重なり合うことから、このローター凹部４２や平板部４５ｂを設けずに省略した場合の風路切換装置４０での洩れ量が、換気量に比べて充分小さければ、ローター凹部４２や平板部４５ｂを省略しても支障無い。この場合、外周壁４３や隔壁４１ｇ〜４１ｊは後述するローター蓋４４に設けるなどの工夫が必要なのは言うまでもない。この場合、平板部４５ｂの板厚分だけ送風装置２０を薄くでき、薄型の送風装置２０が得られると共に、構成材料を節約し、環境負荷を軽減した送風装置２０を得ることができる。
【０１５２】
また、これらの部分以外にも給気、排気、循環、停止の各回動位置で常に外殻と重なり合う部分は空気の洩れ量、風路切換体４１の強度、剛性などに配慮の上、省略することができる。更に、これらの省略する部位は風路切換体４１の壁に限らず、外殻４６の壁であっても同様の効果を得ることができる。
【０１５３】
また、風路切換体４１の開口をローター外周壁４３とローター蓋４４に設けたので風路切換体４１を回動させた時にローター外周壁４３の開口とローター蓋４４の開口の軌跡が重なり合うことが無いため、ローター４５の風路の設定がし易くなると共に、風路切換体４１の複数の回動位置で、回動位置毎に複数の風路を形成でき、単純な構成で給気、排気、循環など複数の機能を簡単に切換えできる送風装置２０を得ることができる。
【０１５４】
なお、本実施例では風路切換体４１の開口を外周壁４３とローター蓋４４に分散して、風路切換体４１を回動させた時にローター外周壁４３の開口とローター蓋４４の開口の軌跡が重畳しないようにしたが、この他にも例えばローター蓋４４の開口を円周状に二段に設け、この二段の開口間で回動した時の開口の軌跡が重畳しないようにしても、また、ローター４５の平板部４５ｂに開口を設け、対向するハウジング４６ｉの円板部４６ｈに開口と補助ダクトを設け、送風装置としての横幅は増えても、より多機能な換気機能の切換に対処可能な送風装置を得ることができる。
【０１５５】
また、本実施例の送風装置２０は、円筒形に形成した風路切換体の外周と端面に少なくとも８以上、風路切換装置の外殻に少なくとも６以上の開口を孔設し、風路切換体の複数の回動位置で風路切換体の少なくとも２風路が外部に連通することにより、風路切換体４１の回動のみで、給気フィルターを通しての給気運転と、給気フィルターを通さない排気運転ができ、排気運転時の通風抵抗を低減できる。
【０１５６】
また、少なくとも２以上のローター風路に少なくとも各風路当り１対以上の開口を孔設し、この開口を風路切換体の回動軸を中心として円周方向にずらして設けると共に、風路切換装置の少なくとも２以上の外殻開口を風路切換体の回動軸を中心として円周方向にずらして設けることにより、円周方向にも風路が形成され、風路切換装置４０の外殻の離れた開口どうし、あるいは間にある開口を飛び越えて風路で繋ぐことができるようになり、連通させる開口の選択がより多彩になり、多機能な換気機能を実現可能な送風装置２０を得ることができる。
【０１５７】
このような風路の断面は風路切換体４１の回動軸と平行な辺を持つ矩形にすると良い。これにより風路切換体４１のローター凹部４２と外周壁４３に囲まれた空間を最大限に有効に風路とすることができ、風路の抵抗を小さくでき、限られたスペースでも効率良い風路切換えが可能な送風装置２０を得ることができる。また、風路切換体４１と送風機３３の駆動軸を平行ではなくて、傾けて設置した場合を前述したが、この場合は風路切換体４１の風路部の断面形状を吸込室３１との交差状態に応じて、台形又は三角形状とすることにより、同様の効果を得ることができる。
【０１５８】
また、風路切換体４１をローター凹部４２、開口を有する外周壁４３、開口を有するローター蓋４４及び開口を有しないローター平板部４５ｂの中の１以上の部材と隔壁４１ｇ〜４１ｊとから構成し、外殻４６の開口を外周壁開口４３ａ〜４３ｃ又はローター蓋開口４４ａ〜４４ｆの対向部に設けることにより、必要最小限の単純な構成で風路切換体４１の複数の回動位置で、回動位置毎に複数の風路形成が可能な送風装置を得ることができる。
【０１５９】
また、本実施例の送風装置２０は、風路切換装置４０と送風機３３の空気吸込面３１ｃに挟設された送風機３３の吸込室３１を備え、吸込室３１の反送風機側の壁である吸込室蓋３１ｄと風路切換装置４０の外殻４６のハウジング蓋４６ｊとを一部共用することにより、換気用の送風装置２０を有するセパレート型空気調和機の室内機１に好適な、軸方向寸法が小さく、風路を切換えても安定した送風機性能を発揮でき、製作工程でのハンドリングにも支障の無い送風装置２０を得ることができる。
【０１６０】
また、送風装置２０が吸込吹出兼用開口４６ｃと、吹出専用開口４６ｂと、吸込専用開口４６ａとを備え、風路切換体４１の回動により、給気送風時、排気送風時、及び吸込専用開口４６ａから吸込み、吹出専用開口４６ｂから吹出す送風状態の循環送風時、の内の少なくとも２の送風時に切換可能とするので、楓路切換体４１の回動のみで吸込室３１、吹出室３２と吸込専用開口４６ａ、吹出専用開口４６ｂ吸込吹出兼用開口４６ｃに連通して空気が流れる風路が給気運転の場合は吸気風路４５ｃと吹出風路４５ｄ、排気運転の場合は吸込風路４５ｅと吐気風路４５ｆ、循環運転の場合は循環吸込風路４５ｃと循環吹出風路４５ｅのように、２風路を同時に切換えて給気、排気及び循環に切換える小型の送風装置２０を得ることができる。
【０１６１】
また、本実施例の送風装置２０は、給気送風時に吸込吹出兼用開口４６ｃに連通する風路切換装置４０の風路と吸込室３１の間を繋ぐ吸気通路３５に吸気フィルター３６と、吸気フィルターの着脱開口３５ａを設けると共に、給気送風時に吸気フィルター３６を介し、排気送風時に吸気フィルター３６を介さずに送風するので、外気をよりクリーンにして給気するための給気フィルターを設けて有っても、排気のときは給気フィルターを通さないので、通風抵抗が増えるのを防止し、給気時に流入空気を清浄にすることができ、かつ、排気運転時の通風抵抗を低減した送風装置２０を得ることができる。
【０１６２】
また、本実施例の送風装置２０は、吹出室３２と吸気フィルター３６と吸気フィルター着脱開口３５ａ及び吸込吹出兼用開口４６ｃとを送風機３３の軸方向から見てその大半が重ならないように設置するので、吹出室３２と吸気フィルター３６と吸気フィルター着脱開口３５ａ及び吸込吹出兼用開口４６ｃを送風機３３の軸方向で同じ位置に置くことができ軸方向寸法を小さくできる。つまり、送風機軸と直角方向から見て、上記の四部分を吹出室３２と重なる位置に置き、送風装置２０の機能部をコンパクトに纏めた薄型の送風装置２０を得ることができる。
【０１６３】
また、送風装置２０の吸込専用開口４６ａと、吹出専用開口４６ｂと、吸気フィルター３６と、吸気フィルター着脱開口３５ａとを送風機３３の回転軸と吸込吹出兼用開口４６ｃの重心が含まれる平面に対して、風路切換体４１の回動軸と同じ側に設け、吸込吹出兼用開口４６ｃを送風機３３の回転軸と風路切換体４１の回動軸が含まれる平面に対し吸込専用開口４６ａと反対側に設けるので、室内側の給排気口と給気フィルター脱着開口３５ａを室内機１の前側に、室外側の給排気兼用開口４６ｃをその後側に置くように、空気調和機に組込んで、フィルターが装着される吸込口２１ａ、給気フィルター脱着開口３５ａと給気吹出ダクト１２との接続部を前側に無理無く置いてフィルターのメンテナンスを便利にし、給気吹出ダクト１２の室内機１内のダクトの自然な引回しで給気を室内機１の前側から吹出させるようにすると共に、空気調和機の据付壁から室内に入ってくる室外ダクト１５に接続される給排気兼用口４６ｃを室内機１の背面側にして、据付時の配管作業を容易にすることにより、セパレート型の空気調和機の室内機１に組込んだ時に好適な換気用の送風装置２０を得ることができる。
【０１６４】
また、送風装置２０の吸込専用開口４６ａ又は吹出専用開口４６ｂと、吸気フィルター３６又は吸気フィルター着脱開口３５ａとを送風機３３の軸と直角のどの方向から見ても重ならないように、送風装置２０の吸込専用開口４６ａと吹出専用開口４６ｂ、吸気フィルター３６又は吸気フィルター着脱開口３５ａを送風機３３の軸方向から見て重ならないように配置するので、吸込専用開口４６ａと吹出専用開口４６ｂを風路切換装置４０の軸方向スペースに置き、吸気フィルターと吸気フィルター着脱開口を吸込室３１と吹出室３２の軸方向スペースに置くことができ、送風装置２０の機能部をコンパクトに纏めた小型の送風装置２０を得ることができる。
【０１６５】
また、送風装置２０の空気吸込面３１ｃと吸気フィルター３６の空気流入面３６ｂとの角度が直角にならないように配置したので、空気流入面３６ｂとして、大きな面積が必要な吸気フィルター３６の空気流入面３６ｂが、送風装置２０の吹出室３２の軸方向の投影面と平行になり、空気流入面３６ｂを軸と平行に置いた場合に比べて、吸気フィルター３６の軸方向の収納寸法を小さくでき、給気機能、排気機能を有する空気調和機に好適な、空気清浄フィルターを備えても薄型な送風装置２０を得ることができる。
【０１６６】
また、本実施例の送風装置２０は、給気送風時に吸気フィルター３６の上流側となる風路にプレフィルター２４を設け、給気送風時にプレフィルター２４及び吸気フィルター３６を介し、排気送風時に吸気フィルター３６を介さずにプレフィルター２４を介して送風するので、吸気フィルター３６の粗ゴミが減って、空気清浄フィルター３６の交換時期が延長されると共に、常にプレフィルター２４を介することにより、逆風時でも室外の粗ゴミが送風装置２０内に入るのを防ぐことができ、給気機能、排気機能を有する空気調和機に好適な、フィルターのメンテナンス性を向上させた送風装置２０を得ることができる。
【０１６７】
また、吸気フィルター３６を収納する収納部３６ｃと、プレフィルター２４を収納する収納部とを設け、吸気フィルター３６及びプレフィルター２４が送風機モーター３４の軸と直角な方向から着脱するので、吹出室３２の軸方向スペースを着脱スペースに使え、軸方向に追加のスペースが不要となり、空気調和機の横方向寸法を小さくできると共に、給気運転時の流れがプレフィルター部で上向き流れなのでプレフィルター２４清掃時の脱着でプレフィルター２４からゴミが落ちても、プレフィルター２４の上流側に落ちるので、給気運転時に再びプレフィルター２４に捕集され、送風装置２０内に進入することが無く、送風装置２０を清浄に保つことができ、給気機能、排気機能を有する空気調和機に好適な、清掃性を向上させた送風装置を得ることができる。
【０１６８】
そして、本実施例の空気調和機によれば、室内機１の筐体２内の左右一側に熱交換器１０及び主送風機９を配置し、筐体２内の左右他側に換気機能を有する送風装置２０を配置してなる空気調和機において、送風装置２０は、空気を送風する送風機部５０と、室外空気を室内へ給気する風路と室内空気を室外へ排出する風路とに切換える風路切換装置４０とを備え、送風機部５０は、空気を軸方向より吸込んで円周方向に吹出す遠心形の送風機３３と、送風機３３の吸込口に連通してその吸込口より大きく形成した吸込室３１と、送風機３３の吹出側に形成した吹出室３２とを備え、風路切換装置４０は、複数の開口を有する外殻４６と、外殻４６内に回動可能に配置すると共に内部を複数の風路に区分する隔壁を有する風路切換体４１と、風路切換体４１の複数の風路と外殻４６の複数の開口との連通を切換えるように風路切換体４１を回動する駆動装置４７とを備え、風路切換装置４７は送風機部５０の吸込室３１に重なるように並置したので、小型で、構成が簡単で、給気及び排気に切換えできると共に、信頼性の高いものとすることができる。
また、本実施例の空気調和機は、送風装置２０に室外ダクトの接続部を設けると共に、室内機１の正面から見て熱交換器１０の冷媒接続配管引出部と室内機１の側面板４との間に請求項１記載の送風装置２０を収納するので、据付けの大半を占める冷媒配管１６と同一の壁孔に室外ダクト１５の配管ができ、配管ダクト類の纏め作業が容易で仕上がりを良好にできると共に、主送風機モーター１４の周囲を除湿機能付冷凍サイクルの弁類や熱交換器回りの冷媒配管スペースとして利用でき、壁面直出し配管、側面引出し配管に好適な、換気機能を有する壁掛けセパレート型空気調和機を得ることができる。
【０１６９】
また、本実施例の空気調和機は、送風装置２０の吸込専用開口４６ａと吹出専用開口４６ｂと吸気フィルター着脱開口３５ａとを室内機１の前側に、吸込吹出兼用開口４６ｃを室内機１の後側に、吸込専用開口４６ａを上側に、吹出専用開口４６ｂと吸気フィルター着脱開口３５ａと吸込吹出兼用開口４６ｃとを下側に配置するので、室内側の給排気口と給気フィルター脱着開口３５ａを室内機１の前側に、室外側の給排気兼用開口４６ｃをその後側に置くように、空気調和機に組込んで、フィルターが装着される吸込口２１ａ、給気フィルター脱着開口３５ａと給気吹出ダクト１２との接続部を前側に無理無く置いてフィルターのメンテナンスを便利にし、給気吹出ダクト１２の室内機１内のダクトの自然な引回しで給気を室内機１の前側から吹出させるようにすると共に、空気調和機の据付壁から室内に入ってくる室外ダクト１５に接続される給排気兼用口４６ｃを室内機１の背面側にして、据付時の配管作業を容易にすることにより、操作性、据付性に優れた換気機能を有する壁掛けセパレート型の空気調和機を得ることができる。
【０１７０】
また、送風装置２０停止時に吸込専用開口４６ａ及び吹出専用開口４６ｂと吸込吹出兼用開口４６ｃとの間を遮断する機能を備えるので、室外が強風の時などに、それが室内に侵入するのを防止し、給気機能、排気機能を有する送風装置を備えた空気調和機において、送風機停止時を配慮した空気調和機を得ることができる。
【０１７１】
また、送風装置２０の風路切換体４１の前縁が熱交換器１０のフィン前縁１０ｂより奥側になるように送風装置２０を室内機１に収納したので、送風機３３の必須部を熱交換器１０より奥に置けるので、吸込み空気の前処理や、吹出し空気のダクト処理を主気流の熱交換器１０前での処理空間の奥行寸法内で処理でき、室内機１の奥行を薄くでき、奥行寸法の小さい壁掛けセパレート型の空気調和機を得ることができる。
【０１７２】
また、本実施例の空気調和機は、送風装置２０の高さを約「吹出室３２の高さ＋風路切換装置４０のはみ出し部高さ」にできるので全体高さを低くでき、この送風装置の吹出専用開口が室内機の主吸込口と主吹出口の中間に来るように設置し、送風装置２０の下方に室内機１の制御部１７を収納するので、室内機１内の配線引回しが短くて簡単になると共に、制御基板の点検が容易な空気調和機を得ることができる。
【０１７３】
また、送風機３３の回転軸と主送風機９の回転軸が略平行となるように設置するので、吹出室３２を主送風機９の軸に直角に置くことになり、吹出室３２、風路切換装置４０を空気調和機の断面内に無理無く設置でき、しかも軸方向に薄型になり、給気機能、排気機能を有する空気調和機において、空気清浄フィルターを備えても薄型で奥行、高さともに小さい換気装置を備えた空気調和機を得ることができる。
【０１７４】
また、空気調和機は給気送風時に吸気フィルター３６を介して室外空気を室内に給気し、排気送風時に吸気フィルター３６を介さずに室内空気を室外に排気するので、給気運転時は空気清浄化された室外空気を給気し、排気運転時は吸気フィルターを通さないので通風抵抗を低減して省エネになり、給気機能、排気機能を有する送風装置を備えた空気調和機において、排気運転時の通風抵抗を低減した空気調和機を得ることができる。
【０１７５】
また、空気調和機は給気送風時にプレフィルター２４及び吸気フィルター３６を介して室外空気を室内に給気し、排気送風時に吸気フィルター３６を介さずにプレフィルター２４を介して室内空気を室外に排気するので、吸気フィルター３６の粗ゴミが減って、空気清浄フィルター３６の交換時期が延長されると共に、常にプレフィルター２４を介することにより、逆風時でも室外の粗ゴミが送風装置２０内に入るのを防ぎ、給気機能、排気機能を有する送風装置２０を備えた空気調和機において、フィルターのメンテナンス性を向上させた空気調和機を得ることができる。
【０１７６】
また、吸気フィルター３６及びプレフィルター２４を室内機１の正面から着脱できるので、正面からの着脱とすることにより操作性を確保し、且つ送風装置２０の下方のスペースへの依存性が無いため、下方の用途に制限を加えることは無く、吹出室３２の軸と直角方向スペースを着脱スペースに使うので、軸方向に追加のスペースが不要となり、空気調和機の横方向寸法を小さくでき、送風装置２０の清掃性を向上した空気調和機を得ることができる。
【０１７７】
また、吸込専用開口４６ａと吹出専用開口４６ｂとを室内に開口させるので、室内開口を吸込又は吹出の専用開口とすることにより、給気運転時、排気運転時に合わせて風路を最適に設計でき、給気運転時も排気運転時も通風抵抗を小さくできると共に、吸込専用開口４６ａを空気調和機の主吸込口５の下流側の前面カバー４の奥に設置でき、意匠的に外観を曝すのに躊躇する吸込フィルターを気がね無く取付けることができ、排気時の室内空気からの塵埃が吸込フィルター２１ｂに捕集され、送風装置２０内に溜まらず、給気時に塵埃が吹出す恐れが無く、吸込、吹出の専用開口を空気調和機内の適宜な位置に設置し、給気、排気時の室内環境を適正に維持可能な空気調和機を得ることができる。
【０１７８】
また、主吸込口５と吸込専用開口４６ａに至る通風経路に設けた吸込フィルター２１ｂと、室内機１の下方に形成された主吹出口６と主吸込口５との間に形成された給気吹出口１３と、吹出専用開口４６ｂとを接続するダクトとを備えるので、排気時の室内空気からの塵埃が吸込フィルター２１ｂに捕集され、送風装置２０内に溜まらず、給気時に塵埃が吹出す恐れが無く、また、給気が主吹出口６より上から吹出すので、給気が直接人に当らず、給気が外気温度に近いことによる不快感を緩和可能な空気調和機を提供できると共に、給気機能、排気機能を有する送風装置を備えた空気調和機において、空気清浄フィルターを備えても薄型で奥行、高さともに小さい、送風装置を備え、給気時に塵埃が吹出す恐れが無く、又、給気外気による不快感を緩和可能な空気調和機を得ることができる。
【０１７９】
なお、室内機１の冷暖房運転をおこなわずに、送風装置２０だけで循環運転、排気運転あるいは給気運転を単独におこなって、室内空気をゆるやかに循環させたり、室内の汚れた空気を排出したり、あるいは室外の新鮮な空気を取込んで室内の空気をリフレッシュすることができる。
【０１８０】
上記実施例によれば、主送風機とは別個に一定方向に回転する送風機と、その送風機に適応した吸込口及びケーシングを有するとともに、室内空気を排出する吐気風路４５ｆと、給気を吹出す吹出風路４５ｄと、排気と循環を共用する吸込風路（循環吹出風路）４５ｅと、給気と循環を共用する吸気風路（循環吸込風路）４５ｃとを備え、送風機３３の吸込部、吹出部に設けた風路切換装置４０で、吸込む空気を室内空気あるいは室外空気に切換えると共に、吹出す空気を室内あるいは室外に切換えることにより、給気運転、排気運転、循環運転ができるようにした送風装置２０を組込んで、送風機３３を一定方向に回転させて送風機３３の吸込室３１と吹出室３２を送風機３３に適応した形状にしたことにより、送風装置２０の送風効率を向上させ、送風装置２０の運転騒音を低くしたセパレート形空気調和機の室内機１を得ることができる。
【０１８１】
また、給気運転のときには、吸い込んだ室外空気を吸気フィルターに通すが、排気運転のときには、排気する室内空気を吸気フィルターに通さないので、排気運転時の通風抵抗を減少させ、排気する室内空気の量を増やすことができる。さらには、給気運転のときに空気を、プレフィルターを通過させて室外空気中の塵埃を取除き、排気運転のときにもプレフィルターを通過させて排気する室内空気を吹き付けて、プレフィルターの表面に集積した塵埃を清掃させることにより、送風装置にクリーニング機能を構築することができるとともに、吸気フィルター及びプレフィルターは室内機の前面カバーを開けて、正面から任意に抜取り、装着が可能であり、メンテナンス性を向上している。
【０１８２】
なお、本実施例において、送風装置２０の運転として３つの運転モードを設けたが、循環運転モードを設けなくてもよい。
【図面の簡単な説明】
【０１８３】
【図１】本発明の一実施例に係る空気調和機の室内機の外観図。
【図２】図１の室内機主要部品の内部配置を示す正面図。
【図３】図１の室内機の背面斜視図。
【図４】図１のＡ−Ａ断面図。
【図５】図１のＢ−Ｂ断面図。
【図６】本発明の一実施例に係る送風装置の外観図。
【図７】図６の送風装置の側板を破断した斜視図。
【図８】図２に示した送風装置の空気の流れを表す模式図。
【図９】図２に示した送風装置の運転の状態図。
【図１０】図６の給気運転時の送風装置内部を示す斜視図。
【図１１】図６の排気運転時の送風装置内部を示す斜視図。
【図１２】図６の循環運転時の送風装置内部を示す斜視図。
【図１３】図６の運転停止時の送風装置内部を示す斜視図。
【図１４】補助ダクト無しの送風装置内部を示す斜視図。
【図１５】排気運転時の送風装置を示す分解斜視図。
【図１６】給気運転時の風路切換装置内部を示す分解斜視図。
【図１７】排気運転時の風路切換装置内部を示す分解斜視図。
【図１８】循環運転時の風路切換装置内部を示す分解斜視図。
【図１９】運転停止時の風路切換装置内部を示す分解斜視図。
【図２０】図６の送風装置の左側面図と断面図。
【符号の説明】
【０１８４】
１…室内機、２…筐体、２ａ…筐体側面板、３…化粧カバー、４…前面カバー、４…側面板、５…主吸込口、６…主吹出口、７…風向板、８…主フィルター、９…主送風機、１０…熱交換器、１０ａ…フィン、１０ｂ…フィン前縁、１１…露受、１１ａ…前側露受、１１ｂ…後側露受、１２…給気吹出ダクト、１３…給気吹出口、１４…主送風機モーター、１５…室外ダクト、１６…冷媒配管、１６ａ…冷媒接続配管、１６ｂ…冷媒接続配管引出部、１７…制御部、１７ａ…配線接続部、１７ｂ…接続配線引出部、１８…接続配線、１９…ドレンホース、２０…送風装置、２１…吸込補助ダクト、２１ａ…吸込口、２１ｂ…吸込フィルター、２２…吹出補助ダクト、２２ａ…吹出ダクト接続部、２３…吸込吹出補助ダクト、２３ａ…吸込吹出ダクト接続部（室外ダクト接続部）、２３ｂ…吸込吹出補助ダクト底板、２３ｃ…プレフィルター嵌合部、２４…プレフィルター、２４ａ…プレフィルター取っ手、２４ｂ…プレフィルター前板、２４ｃ…プレフィルター着脱開口、３１…吸込室、３１ａ…仕切板、３１ｂ…マウスリング、３１ｃ…空気吸込面、３１ｄ…吸込室蓋、３１ｅ…送風機吸込部、３２…吹出室、３２ａ…吹出室蓋、３３…送風機、３４…送風機モーター、３５…吸気通路、３５ａ…吸気フィルター着脱開口、３６…吸気フィルター（空気清浄フィルター）、３６ａ…吸気フィルター取っ手、３６ｂ…空気流入面、３６ｃ…吸気フィルター収納部、４０…風路切換装置、４１…風路切換体、４１ｇ〜４１ｊ…隔壁、４２…ローター凹部、４２ａ…凸部、４２ｂ…係合孔、４３…外周壁、４３ａ…吸込開口（循環吹出開口）、４３ｂ…吹出開口、４３ｃ…循環開口、４４…ローター蓋、４４ａ…吸気吸込開口（循環吸出開口）、４４ｂ…吸気吸出開口、４４ｃ…吹込開口、４４ｄ…吸出開口（循環吹込開口）、４４ｅ…吐気吹込開口、４４ｆ…吐気吹出開口、４５…ローター、４５ｂ…平板部、４５ｃ…吸気風路（循環吸込風路）、４５ｄ…吹出風路、４５ｅ…吸込風路（循環吹出風路）、４５ｆ…吐気風路、４６…外殻、４６ａ〜ｆ…外殻開口、４６ａ…吸込専用開口、４６ｂ…吹出専用開口、４６ｃ…吸込吹出兼用開口（給排気兼用開口）、４６ｄ…吸出専用開口、４６ｅ…吹込専用開口、４６ｆ…吸気フィルター用開口、４６ｇ…ハウジング凹部、４６ｈ…円板部、４６ｉ…ハウジング、４６ｊ…ハウジング蓋、４６ｋ…ハウジング周壁、４６ｌ…軸開口、４７…駆動装置、５０…送風機部。
【図１】
2006090625.tif 000003
【図２】
2006090625.tif 000004
【図３】
2006090625.tif 000005
【図４】
2006090625.tif 000006
【図５】
2006090625.tif 000007
【図６】
2006090625.tif 000008
【図７】
2006090625.tif 000009
【図８】
2006090625.tif 000010
【図９】
2006090625.tif 000011
【図１０】
2006090625.tif 000012
【図１１】
2006090625.tif 000013
【図１２】
2006090625.tif 000014
【図１３】
2006090625.tif 000015
【図１４】
2006090625.tif 000016
【図１５】
2006090625.tif 000017
【図１６】
2006090625.tif 000018
【図１７】
2006090625.tif 000019
【図１８】
2006090625.tif 000020
【図１９】
2006090625.tif 000021
【図２０】
2006090625.tif 000022